(57)【要約】第１のブレードセクション、第２のブレードセクション、および少なくとも１つのフィンを備えるヘアスタイリングデバイス。この第１のブレードセクションは、内側ブレード表面、およびこの内側ブレード表面と連結されるか、統合されるかの一方である少なくとも１つの第１のブレードセクション加熱要素を備える。第２のブレードセクションは、上記第１のブレードセクションに回転可能に連結され得、そして上記少なくとも１つの第１のブレードセクション加熱要素に実質的に対向する、少なくとも１つの第２のブレードセクション加熱要素を備え得る。この少なくとも１つの第２のブレードセクション加熱要素はまた、実質的に平らな表面および少なくとも１つの外側表面を備え得る。上記少なくとも１つのフィンの一部分は、上記外側表面に連結されるか、統合されるかの一方である。
2016515874.tif 000002
【特許請求の範囲】
【請求項１】
ヘアスタイリングデバイスであって：
第１のブレードセクションであって、
内側ブレード表面、および
該内側ブレードの少なくとも一部分に連結されるか、統合されるかの一方である少なくとも１つの第１のブレードセクション加熱要素を備える、第１のブレードセクション；
該第１のブレードセクションに回転可能に連結される第２のブレードセクションであって、該第２のブレードセクションは、
該少なくとも１つの第１のブレードセクション加熱要素に実質的に対向する、少なくとも１つの第２のブレードセクション加熱要素であって、該少なくとも１つの第２のブレードセクション加熱要素は、実質的に平らな表面および外側表面を備える、第２のブレードセクション加熱要素を備える、第２のブレードセクション；ならびに
フィンであって、該フィンの少なくとも一部分が、該外側表面に連結されるか、統合されるかの一方である、フィン、を備える、ヘアスタイリングデバイス。
【請求項２】
請求項１に記載のヘアスタイリングデバイスであって、さらに、
ヘアスタイリングデバイス遠位端；
ヘアスタイリングデバイス中央部分；
前記第１のブレードセクションおよび前記第２のブレードセクションに該ヘアスタイリングデバイス遠位端で連結される、旋回デバイス；を備え、ここで、
前記内側ブレード表面が、該デバイスの近位端から該中央部分まで延びる第１の実質的に平らなセクションを備える、ヘアスタイリングデバイス。
【請求項３】
請求項２に記載のヘアスタイリングデバイスであって、
該ヘアスタイリングデバイスがデバイス近位端を備え；
前記フィンが内側フィン表面を備え；
該内側フィン表面が、
フィン長さ、および
内側フィンベース；を備え、そして
前記デバイス遠位端近傍のフィン長さが、該デバイス近位端近傍のフィン長さとは異なる、ヘアスタイリングデバイス。
【請求項４】
請求項２に記載のヘアスタイリングデバイスであって、
内側フィンベースが、前記少なくとも１つの第１のブレードセクション加熱要素に近接した位置を備え；そして
前記第１の実質的に平らなセクションが、内側フィン表面に実質的に垂直であり、そして前記外側表面上の位置から該内側フィンベースまで延びる、ヘアスタイリングデバイス。
【請求項５】
請求項３に記載のヘアスタイリングデバイスであって、
前記少なくとも１つの第１のブレードセクション加熱要素が、少なくとも１つの第１のブレードセクション加熱要素遠位端を備え；そして
前記フィン長さが、前記デバイス近位端からほぼ該少なくとも１つの第１のブレードセクション加熱要素遠位端まで延びる第１のフィン長さを備える、ヘアスタイリングデバイス。
【請求項６】
請求項５に記載のヘアスタイリングデバイスであって、
前記内側ブレード表面がさらに、
第１の内側ブレード表面部分、
第２の内側ブレード表面部分、
第３の内側ブレード表面部分；を備え、
該第１の内側ブレード表面部分でのフィン長さがゼロ長さを備え；
該第２の内側ブレード表面部分でのフィン長さが変動する長さを備え；そして
該第３の内側ブレード表面部分でのフィン長さが実質的に安定な長さを備える、ヘアスタイリングデバイス。
【請求項７】
請求項６に記載のヘアスタイリングデバイスであって、
前記第１の内側ブレード表面部分が、ほぼ前記旋回デバイスからほぼ前記第２の内側ブレード表面部分まで延びる実質的に平らな表面を備え；
前記第２の内側ブレード表面部分が、実質的に平らな部分および少なくとも１つの実質的に丸まった部分を備え；そして
第３の内側ブレード表面部分が、前記内側フィンベースから外側ブレード表面まで延びる実質的に平らな部分を備える、ヘアスタイリングデバイス。
【請求項８】
ヘアをスタイリリングする方法であって、
ヘアスタイリングデバイスの第１の開口部をほぼ垂直位置に位置決めする工程であって、該ヘアスタイリングデバイスが、第１の加熱要素および第２の加熱要素を備える、工程；
該ヘアスタイリングデバイスの第２の開口部をほぼ水平位置に位置決めする工程であって、該第２の開口部が該第１の開口部から所定角度分離されている、工程；
該ヘアを該ヘアスタイリングデバイス中に置く工程；
該ヘアスタイリングデバイスを該ヘアに沿って動かす工程；
該ヘアが該第２の開口部を通って進む前および後の一方で、該ヘアを該第１の加熱要素および該第２の加熱要素と接触させる工程；および
該ヘアを真っ直ぐにする工程およびカールする工程の一方の工程、を包含する、方法。
【請求項９】
請求項８に記載の方法であって、さらに、前記ヘアを前記ヘアスタイリングデバイス中に置く工程の前に、前記第１の加熱要素および前記第２の加熱要素を旋回可能に分離する工程を包含する、方法。
【請求項１０】
請求項９に記載の方法であって、前記第１の加熱要素および前記第２の加熱要素を旋回可能に分離する工程が、該第１の加熱要素を該第２の加熱要素から双方向に分離することを含む、方法。
【請求項１１】
請求項８に記載の方法であって、
前記ヘアが前記第２の開口部を通って進む前および後の一方で、該ヘアを前記１の加熱要素および前記第２の加熱要素と接触させる工程が、該ヘアが該第２の開口部を通って進む前に該ヘアを該第１の加熱要素および該第２の加熱要素と接触させることを含み、そして
前記ヘアを真っ直ぐにする工程およびカールする工程の一方の工程が、該ヘアを真っ直ぐにすることを含む、方法。
【請求項１２】
請求項８に記載の方法であって、
前記ヘアが、個人の頭部からのヘア成長を含み；
第１の加熱要素および第２の加熱要素を備えるヘアスタイリングデバイスの第１の開口部をほぼ垂直位置に位置決めする工程が、ヘアスタイリングデバイスの該第１の開口部を、ほぼ上方に向く垂直位置に位置決めすることを含み；
ヘアスタイリングデバイスの第２の開口部をほぼ水平位置に位置決めする工程が、ヘアスタイリングデバイスの該第２の開口部をほぼ個人の頭部に向かって位置決めすることを含み；
前記ヘアが該第２の開口部を通って進む前および後の一方で、該ヘアを該第１の加熱要素および該第２の加熱要素と接触させる工程が、該ヘアが該第２の開口部を通って進んだ後に、該ヘアを該第１の加熱要素および該第２の加熱要素と接触させることを含み；そして
前記ヘアを真っ直ぐにする工程およびカールする工程の一方の工程が、該ヘア中にカールを生成することを含み、ここで、該カールが、該第２の開口部の方向にほぼ開く、方法。
【請求項１３】
請求項１２に記載の方法であって、
前記カールが前記ヘア中の複数のカールを含み；そして
該カールの各々が、前記第２の開口部の方向に向かってほぼ開く、方法。
【請求項１４】
請求項８に記載の方法であって、
前記角度がほぼ垂直である角度を含み；
前記第２の開口部が、デバイスフィンへの開口部を備え；
該デバイスフィンが１つ以上のフィン寸法を備え；そして
該１つ以上のフィン寸法の少なくとも１つおよび該角度が１つ以上のカール特徴に影響する、方法。
【請求項１５】
請求項８に記載の方法であって、
前記ヘアが、個人の頭部からのヘア成長を含み；
第１の加熱要素および第２の加熱要素を備えるヘアスタイリングデバイスの第１の開口部をほぼ垂直位置に位置決めする工程が、ヘアスタイリングデバイスの該第１の開口部を、ほぼ下方に向く垂直位置に位置決めすることを含み；
ヘアスタイリングデバイスの第２の開口部をほぼ水平位置に位置決めする工程が、ヘアスタイリングデバイスの該第２の開口部をほぼ個人の頭部から離れて位置決めすることを含み；
前記ヘアが該第２の開口部を通って進む前および後の一方で、該ヘアを該第１の加熱要素および該第２の加熱要素と接触させる工程が、該ヘアが該第２の開口部を通って進んだ後に、該ヘアを該第１の加熱要素および該第２の加熱要素と接触させることを含み；そして
前記ヘアを真っ直ぐにする工程およびカールする工程の一方の工程が、該ヘア中にカールを生成することを含み、ここで、該カールが、該個人の頭部から離れて開く、方法。
【請求項１６】
ヘアを真っ直ぐにし／カールするデバイスであって、
ケーシング；
該ケーシングに連結される少なくとも一対の実質的に対向する加熱要素；および
該ケーシングに連結されるか、統合されるかの少なくとも一方である、少なくとも１つのフィンを備える、ヘアを真っ直ぐにし／カールするデバイス。
【請求項１７】
前記ケーシングが、把持デバイスを備える、請求項１６に記載のヘアを真っ直ぐにし／カールするデバイス。
【請求項１８】
請求項１６に記載のヘアを真っ直ぐにし／カールするデバイスであって、
前記少なくとも一対の実質的に対向する加熱要素が、実質的に対向する加熱要素表面を備え；
前記少なくとも１つのフィンが、第１の長さ方向を有する第１の長さを備え；そして
該第１の長さ方向が、該実質的に対向する加熱要素表面の少なくとも１つに実質的に垂直である、ヘアを真っ直ぐにし／カールするデバイス。
【請求項１９】
請求項１８に記載のヘアを真っ直ぐにし／カールするデバイスであって、
前記第１の長さ方向が、第１の方向にある前記実質的に対向する加熱要素表面の第１と実質的に垂直であり；そして
該第１の長さ方向が、第２の方向にある該実質的に対向する加熱要素表面の第２と実質的に垂直であり、ここで、該第２の方向が該第１の方向と実質的に対向する、ヘアを真っ直ぐにし／カールするデバイス。
【請求項２０】
請求項１６に記載のヘアを真っ直ぐにし／カールするデバイスであって、
該ヘアを真っ直ぐにし／カールするデバイスが、ヘアを真っ直ぐにする第１の方法における使用のために適合され；
該ヘアを真っ直ぐにし／カールするデバイスが、ヘアを第１の方向にカールする第２の方法における使用のために適合され；そして
該ヘアを真っ直ぐにし／カールするデバイスが、ヘアを第２の方向にカールする第３の方法における使用のために適合されている、ヘアを真っ直ぐにし／カールするデバイス。
【発明の詳細な説明】
【技術分野】
【０００１】
（優先権）
本願は、２０１３年３月１６日に出願され、そして「ヘアスタイリングデバイス、システム、および方法」と題する米国仮出願第６１／８０２，５７４号に基づく優先権を主張しており、この出願は、その全体が参考として本明細書に援用される。
【０００２】
（発明の分野）
本発明は、ヘアスタイリングデバイスに関する。特に、しかし、限定する目的ではなく、本発明は、ヘアを真っ直ぐにすること、およびカールすることの両方に適合されたヘアスタイリングデバイスに関する。
【背景技術】
【０００３】
（発明の背景）
現存する、真っ直ぐにし、そしてカールするヘアスタイリングデバイスは、単一の機能−それらは、ヘアを真っ直ぐにするか、またはカールするいずれか−を行うのみである。２つのタイプのデバイスを所有することは高価で不便である。例えば、各々のデバイスは、１００ドルまたはより高くを超える費用がかかるかも知れず、そしてこれら２つのデバイスによって占められるスペースは、特に最小の収納スペースを備えた小さなバスルームでは相当である。さらに、複数のヘアスタイリングデバイスを有することは、専門のヘアスタイリングブース中でさえ、散らかった外観を引き起こす。さらに、多くのバスルームおよび専門のヘアスタイリングブースは、単一の電力コンセントを含むのみであるので、単一のコンセントから電力を必要とする２つのデバイスを有することは、電気事故を引き起こし得、そして電気回路に負荷をかけ過ぎるかも知れない。
【発明の概要】
【課題を解決するための手段】
【０００４】
（発明の要旨）
本明細書に開示されるデバイスの実施形態は、デバイスの単一のスライドする動きで、頭皮あたりからヘアの先端あたりまで、ヘアをカールすることによって先行技術のデバイスから区別され、そしてヘアを真っ直ぐにすること、およびカールすることの両方を行う単一のデバイスを含む。
【０００５】
本発明の１つの実施形態は、第１のブレードセクション、第２のブレードセクション、およびフィンを備えるヘアスタイリングデバイスを含む。１つの第１のブレードセクションは、内側ブレード表面、および、内側ブレード表面の少なくとも一部分に連結されるか、それと統合されるかの一方である少なくとも１つの第１のブレードセクション加熱要素を備える。第２のブレードセクションは、上記第１のブレードセクションに回転可能に連結され得、そしてこの第２のブレードセクションは、上記少なくとも１つの第１のブレードセクション加熱要素と実質的に対向する少なくとも１つの第２のブレードセクション加熱要素を備え得る。この少なくとも１つの第２のブレードセクション加熱要素は、実質的に平らな表面および少なくとも１つの外側表面を備え得る。上記フィンは、上記少なくとも１つの外側表面に連結されるか、それに統合されるかの一方である。
【０００６】
本発明の別の実施形態は、ヘアをスタイリングする方法を含む。１つのこのような方法は、第１の加熱要素および第２の加熱要素を備えるヘアスタイリングデバイスの第１の開口部をほぼ垂直位置に位置決めする工程を包含する。このヘアスタイリングデバイスの第２の開口部は、ほぼ水平位置に配置され得、この第２の開口部は、第１の開口部と比較したとき、ほぼ垂直である開口部を備える。ヘアは、次いで、ヘアスタイリングデバイス中に置かれ得、そしてこのヘアスタイリングデバイスは、ヘアに沿って動かされ得る。上記第１の加熱要素および上記第２の加熱要素は、ヘアが上記第２の開口部を通って進む前および後のいずれか一方でヘアと接触し得、その点でヘアを真っ直ぐにすること、およびカールすることの一方が起こる。
【０００７】
本発明のなお別の実施形態は、ヘアを真っ直ぐにする／カールするデバイスを含む。１つのこのようなデバイスは、ケーシング、このケーシングに連結される少なくとも一対の実質的に対向する加熱要素、および上記ケーシングに連結されるか、統合されるかの一方である少なくとも１つのフィンを備える。
【図面の簡単な説明】
【０００８】
本発明の種々の目的、および利点、およびより完全な理解は、添付の図面と合わせて考慮されるとき、以下の詳細な説明および添付された請求項を参照することによって明らかであり、かつより容易に認識され、ここで：
【図１】図１は、本発明の１つの実施形態に従う、第１の位置にあるデバイスの斜め前面図である。
【図２】図２は、本明細書に記載の実施形態で実行され得る、ヘアを真っ直ぐにする１つの方法を描写している。
【図３】図３は、本明細書に記載の実施形態で実行され得る、ヘアをカールする１つの方法を描写している。
【図４Ａ】図４Ａは、本明細書に記載の実施形態で実行され得る、ヘアをカールする１つの方法を描写している。
【図４Ｂ】図４Ｂは、本発明の１つの実施形態に従う、第２の位置にあるデバイスの斜め前面図である。
【図５】図５は、本発明の１つの実施形態に従う、開いた位置にあるデバイスの等大図を描写している。
【図６】図６は、本発明の１つの実施形態に従う、デバイスの近位端面図を描写している。
【図７Ａ】図７Ａは、本発明の１つの実施形態に従う、閉じたデバイスの近位端図を描写している。
【図７Ｂ】図７Ｂは、本発明の１つの実施形態に従う、第１の開いた位置にあるデバイスの近位端図を描写している。
【図７Ｃ】図７Ｃは、本発明の１つの実施形態に従う、第２の開いた位置にあるデバイスの近位端図を描写している。
【図７Ｄ】図７Ｄは、本発明の１つの実施形態に従う、第３の開いた位置にあるデバイスの近位端図を描写している。
【図８Ａ】図８Ａは、本発明の１つの実施形態に従う、図９中の線８Ａ−８Ａに沿ったデバイスの断面図を描写している。
【図８Ｂ】図８Ｂは、本発明の１つの実施形態に従う、図９中の線８Ｂ−８Ｂに沿ったデバイスの断面図を描写している。
【図８Ｃ】図８Ｃは、本発明の１つの実施形態に従う、図９中の線８Ｃ−８Ｃに沿ったデバイスの断面図を描写している。
【図８Ｄ】図８Ｄは、本発明の１つの実施形態に従う、図９中の線８Ｄ−８Ｄに沿ったデバイスの断面図を描写している。
【図９】図９は、本発明の１つの実施形態に従う、デバイスの側面図を描写している。
【図１０】図１０は、本発明の１つの実施形態に従う、第２のブレードセクションの斜めの側面図を描写している。
【図１１】図１１は、本明細書に記載される実施形態で実施され得る、ヘアを真っ直ぐにする方法を描写している。
【図１２】図１２は、本明細書に記載される実施形態で実施され得る、ヘアをカールする方法を描写している。
【発明を実施するための形態】
【０００９】
（詳細な説明）
最初に図１を参照して、見られるのは、閉じた位置にあるヘアスタイリングデバイス１００の１つの実施形態である。１つの閉じた位置は、第１のデバイス位置を備え得る。１つのヘアスタイリングデバイス１００は、第１のブレードセクション１０２および第２のブレードセクション１０４を備える。この第１のブレードセクション１０２および第２のブレードセクション１０４の各々は、加熱要素１０６を備え得、これはまた、本明細書では加熱要素対とも称され得る。１つのこのような加熱要素対５０６は、図５に見られる開いたデバイス位置に見られるように、デバイス５００の近位デバイス端５０１から中央部分５０３まで、デバイスの長さ１０８のほぼ半分に亘って延びる。このデバイス１００はまた、図１に見られるように、遠位端１５１を備え得る。図５に見られるように、加熱要素対５０６は、対向する実質的に平らな表面を備えても良く、そしてヘアに熱を付与するように適合されても良い。さらに、加熱要素対５０６は、各デバイスセクション５０２、５０４の内側表面５１９に連結されるか、統合されるかの一方であり得る。内側表面５１９はまた、本明細書では、内側ブレード表面とも称され得る。加熱要素対５０６が連結され得るこの内側ブレード表面の一部分は、第１の部分５２１を備え得、そしてこの内側表面５１９の少なくとも一部はまた、実質的な平らな表面を備え得る。１つの加熱要素５０６は、加熱要素遠位端５５７を備え得る。
【００１０】
本出願全体で、用語「連結され」または任意の他の類似の用語は、個々の項目を、限定されないで、ナット／ボルトシステム、磁気カップリング機構、または当該分野で公知の任意の他のシステムのようなカップリング機構を通じて互いに区別して取り付けることを言い得ることが企図される。用語「統合する」または任意の他の類似の用語は、適切である場合、単一の一体の実施形態を言い得る。
【００１１】
ここで、図８Ａ−８Ｄを参照して、見られるのは、図９に見られる第２のブレードセクション９０４の種々の位置で取った断面図である。例えば、図８Ａは、旋回デバイス９１７に近接して位置する、図９の線８Ａ−８Ａの断面図を示す。図８Ａに見られるように、線８Ａ−８Ａに沿った第２のブレードセクション８０４の内側ブレード表面８１９は、第１の外側表面位置８２３から第２の外側表面位置８２７まで延びる実質的に平らな内側ブレード表面である。第１のブレードセクション８０２の少なくとも一部分は、図８Ａ−８Ｄに示されるもののように、相応して類似の内側ブレード表面８１９および外側ブレード表面８７７を備え得る。ここで、図８Ｂを参照して、見られるのは、図９の線８Ｂ−８Ｂの断面図である。見られるように、図８Ａの第１の外側表面位置８２３から延びる代わりに、図９の線８Ｂ−８Ｂに沿った内側ブレード表面８１９は、第３の外側表面位置８２９から延びる。この第３の外側表面位置８２９は、図８Ａ中の第１の外側表面位置８２３と比較したとき、反時計回り方向の周縁に位置される。さらに、デバイスフィン８４０の先端は、断面８Ｂ−８Ｂで形成され得る。さらに、第２の外側表面位置８２７は、図８Ａに対して第４の外側表面位置８３１に変更され、この第４の外側表面位置８３１は、上記第２の外側表面位置８２７から反時計回り方向の周縁距離に位置されている。この第４の外側表面位置８３１の近傍の内側ブレード表面８１９には曲線部８３３がまた存在し得る。図８Ｃに見られるように、図９中の断面線８Ｃ−８Ｃに沿って、デバイスフィン８４０はより大きく、そして内側ブレード表面８１９には、より小さな曲線部８３３が存在し、その一方、セクション８Ｄ−８Ｄで、フィン８４０の完全長８５３およびサイズが存在し、そして内側表面８１９は、内側フィンベース８３７から第５の外側ブレード表面８３９まで実質的に平らな様式で延びる。線８Ｄ−８Ｄに沿って見られる図と類似の断面図がまた、１つの実施形態で近位デバイス端の周りに見られ得る。
【００１２】
ここで図１に戻り、１つのデバイス１００は、頭皮またはその近傍のヘアのベースあたりから先端またはその近傍のヘアの端部までデバイス１００を通ってヘアをスライドすることによって、あるいは、ヘアの長さに沿って何処でスライドする運動が始まり、そして終わっても、カールしたヘアを真っ直ぐに、そして真っ直ぐなヘアをカールするために用いられ得る。図２に見られるのは、ヘア２２０を真っ直ぐにする第１の方法で用いられるデバイス２００の１つの実施形態である。ヘアを真っ直ぐにする図２の方法を実施するために、そして図７Ａ−７Ｄに見られるように、ユーザは、最初、図５に見られるような加熱要素５０６の間にヘアを置くために、デバイス７００を、図７Ａに見られる実質的に閉じた位置から、図７Ｂ−７Ｄにそれぞれ見られる第１、第２または第３の開いた位置まで変更し得る。デバイス７００を、図７Ａに見られる実質的に閉じた位置から、図７Ｂ−７Ｄに見られる開いた位置の１つまで動かすことにおいて、第１のブレードセクション７０２および／または第２のブレードセクション７０４は、図２に見られるように、旋回デバイス２１７を用いて、遠位デバイス端２５１の周りで旋回し得る。
【００１３】
図７Ｂの第１の開いた位置で見られるように、デバイス７００の近位端７０１は、ｘ−ｙ座標系に合わせられ得る。デバイス７００を開くことにおいて、第１のブレードセクション７０４および第２のブレードセクション７０２は、近位端７０１で第１のｘ−距離７０７および第１のｙ−距離７０９だけ分離され得る。図７Ｃの第２の開いたデバイス位置で見られるように、これら２つのセクションが分離する角度７１１は、図７Ｄの第３の開いたデバイス位置で見られるように、第１のブレードセクション７０２および第２のブレードセクション７０４の少なくとも１つに連結されるか、統合されるか一方である旋回デバイス７１７の角度７１３によって決定され得る。例えば、この角度７１３は、遠位端２５１が延長表面７４７に対して回転する角度であり得る。１つの延長表面７４７はフィン７４０上の内側表面を備え得、そして第２のブレードセクション７０４上の加熱要素７０６の外側表面と実質的に垂直であり得る。１つの加熱要素外側表面５６９は図５に見られ得、図５の加熱要素外側表面５６９は、第１のセクション５０２の加熱要素５０６を備える。１つ以上のフィン寸法（長さ、厚みなど）の少なくとも１つおよび角度７１１、７１３は、限定されないで、サイズ、形状、方向、豊かさなどのような１つ以上のカールの特徴に影響し得る。
【００１４】
例えば、図７Ｄに見られる位置までデバイス７００を開く際に、限定されないで、図２に見られるヘア２２０のような個人のヘアは、第１のブレードセクション２０２と第２のブレードセクション２０４との間に置かれ得、そしてデバイス２００は、図７Ａに見られる閉じた位置に戻され得る。１つの方法では、デバイス２００は、ヘア２２０の第１の端部２１２またはその近傍に置かれ得、ここで、ヘア２２０の第１の端部２１２は、個人の頭部または頭皮に近接するヘア端部を含む。ヘアは、個人の頭部から離れ、そして図１に見られるようなデバイスの第１の開口部１１０を通って延び得る。ヘアは、次いで、加熱要素対１０６の間に延び得、そして第２の開口部１３０を通ってデバイス１００を出る。ここで、図２に戻り、このような様式でデバイス２００中にヘア２２０を置く際、デバイス２００は、次いで、個人の頭部から、そしてヘアの第２の端部２１４に向かって引き離され得る。ヘアの１つの第２の端部は、個人の頭部の遠位方向にあるヘア２２０の端部を含む。１つの実施形態では、第１の開口部２１０は、図２に見られるように、垂直に上に向かう位置に配置され得る。
【００１５】
最初加熱要素２０６の間に、そして次に図８Ｄに見られるようなフィン８４０の内側表面８６７に近接して−のような様式でデバイス２００を通ってヘア２２０を動かすことは、個人のヘアを真っ直ぐにし得−それによって、カールまたは波状のヘアを実質的またはほぼ真っ直ぐなヘアに変える。図１に見られるように、ヘアがほぼフィン１４０まで進むとき、ヘアは第１のブレードセクション１０２の外側部分１４９によってフィンに対して押し付けられ得る。ヘア２２０をデバイス２００で真っ直ぐにすることは、デバイスフィン１４０がヘア２２０と接触する前に熱をヘア２２０に付与することによって実施される。図１に見られるように、フィン１４０は、第２のブレードセクション１０４の外側表面１７７に統合され得、そして第２のブレードセクション加熱要素１０６から離れて実質的に垂直に延びる。しかし、他の角度がまた企図される。
【００１６】
ここで図３を参照して、見られるのは、ヘアを第１の方向にカールする例であり、ここで、１つの第１の方向は、ヘアを個人に向かう方向−カールが個人の頭部に向かって開く−にカールすることを含む。デバイス２００で個人のヘアを真っ直ぐにする図２の方法と同様に、デバイス３００で個人のヘア３２０をカールする図３の方法では、デバイス３００は、最初、ヘアの第１の端部３１２またはその近傍に連結し得る。しかし、図２の真っ直ぐにする方法とは対照的に、ヘアは、図１に見られる第２の開口部１３０を通ってデバイス３００に入り得、加熱要素対間に延び、そして第１の開口部１１０を通ってデバイス１００を出、この第１の開口部１１０は、図３に矢印３４１によって見られるように、個人に面している。このような様式でデバイス３００中にヘア３２０を置く際、このデバイスは、次いで、個人の頭部から、そして第２の矢印３４３によって見られる方向に、ヘア３２０の第２の端部３１４に向かって引き離され得る。デバイス３００を頭部から離れて引くことは、ヘア３２０をデバイス３００を通って動かし、これは個人のヘアをカールし得−それによって、ヘアを、実質的またはほぼ真っ直ぐなヘアから実質的またはほぼカールまたは波状のヘアに変える。ヘア３２０をデバイス３００でカールすることは、ヘア３２０が第２の開口部３３０に入り、そして図１に見られるような、デバイスフィン１４０と接触した後にヘア３２０に熱を付与することによって実施される。
【００１７】
ここで図４Ａおよび１２を参照して、見られるのは、ヘア４２０、１２２０を第２の方向にカールする例であり、ここで、１つの第２の方向は、カールが個人の頭部から離れて少なくなるか、または離れて開くヘアカールを生成することを含む。個人のヘアをデバイス３００でカールする図３の方法と同様に、個人のヘア４２０、１２２０をデバイス４００、１２００でカールする図４Ａおよび１２の方法では、カールされるべきヘア４２０、１２２０は、ヘアの第１の端部４１２、１２１２またはその近傍で、図１に見られるような加熱要素１０６の間で、デバイス４００、１２００中に置かれ得る。図３のカールする方法にさらに類似して、ヘア４２０、１２２０は、図４Ｂに見られるような第２の開口部４３０を通ってデバイス４００、１２００に入り得、加熱要素対間に延び、そして第１の開口部４１０を通ってデバイス４００を出る。第２の開口部４３０は、第１の矢印４４１、１２２１によって見られるように、図４Ａおよび１２では個人とは離れた方を向き得る。それゆえ、第４Ａおよび１２の方法における第２の開口部４３０、１２３０の方向は、図３の方法における第２の開口部３３０の方向とは反対であり得る。１つの実施形態では、カールの方向は、第２の開口部４３０、３３０、１２３０の方向に依存し得る。例えば、図４Ａおよび１２の方法では、第２の開口部４３０、１２３０は、個人から離れて開き得、そして類似の方向にカールを生成し、これは、図３の方法とカールの方向が反対である−個人に向かう。それゆえ、図３、４Ａ、および１２にそれぞれ見られるような、個人に向かう、および個人から離れるを超えるさらなるカール方向が企図されることが企図される。図４Ａおよび１２では、このような様式でヘア４２０、１２２０をデバイス４００、１２００中に置く際に、デバイス４００、１２００は、次いで、ヘアの第１の端部４１２、１２１２から、そしてヘア４００、１２００の第２の端部４１４、１２１４に向かって第２の矢印４４３、１２４３によって示される方向に引き離され、それによって、ヘアを開口部４１０、１２１０および４３０、１２３０を通ってスライドする。図４Ｂは、図４Ａおよび１２の方法が着手されるとき、デバイス４００の配置のクローズアップを含む。図４Ｂに見られるデバイスの位置は、第２のデバイス位置を備え得る。
【００１８】
ここで図５を参照して、見られるのは、図１−４Ｂに見られる閉じた位置とは反対に、開いた位置にあるデバイス５００の１つの実施形態である。デバイスを開くために、１つの実施形態では、図１および４Ｂに見られるように、少なくとも１つの第１のブレードセクション５０２は、ほぼ第１の方向１６０、４６０に回転可能にスライドし、そして／または第２のブレードセクション５０４は、ほぼ第２の方向１７０、４７０に回転可能にスライドし得る。開いた位置に到達する際に、個人のヘア２２０、３２０、４２０は、デバイス中で加熱要素５０６の間に置かれ得、そして第１のブレードセクション５０２および第２のブレードセクション５０４の少なくとも１つは、図１および４に見られる第１の方向１６０、４６０および第２の方向１７０、４７０とは実質的に反対の第３の方向および第４の方向に回転し得、それによって、デバイス１００、４００を閉じた位置に戻し、その点で図２−４Ｂを参照して記載される方法は、ヘア２２０、３２０、４２０を真っ直ぐにし、そして／またはカールするために実行され得る。第１のブレードセクション５０２および／または第２のブレードセクション５０４は、限定されないで、把持する様式のような当該分野で公知の１つ以上の回転可能でない様式で開き得ることがまた企図される。
【００１９】
ここで図６を参照して、見られるのは、デバイス６００の１つの実施形態の端面図である。例えば、図６は、図１および６に見られるような、デバイス１００、６００の近位端１０１、６０１に注目することから見られるようなデバイスの描写である。図６に見られるように、デバイス６００は、フィン６４０と第１のセクション６０２との間にスペース６８０を含み得るが、スペース６８０のサイズは、図６に見られるスペース６８０より大きくても良く、または小さくても良い。
【００２０】
ここで図１１を参照して、見られるのは、ヘアをスタイリングする方法１１８５である。この方法は、１１０５で開始し、そして１１１５で、ヘアスタイリングデバイスの第１の開口部をほぼ垂直位置に位置決めすることを含む。このようなヘアスタイリングデバイスは、図１に見られ、そして本明細書に記載されるデバイス１００を含み得る。このような垂直位置は、第１の開口部１１０が上方または下方にほぼ面する位置を含み得る。１１２５で、方法１１８５は、ヘアスタイリングデバイスの第２の開口部をほぼ水平位置に位置決めすることを含み、ここで、第２の開口部は、第１の開口部に対してほぼ垂直である。例えば、第２の開口部１４０は、第１の開口部１１０が上方に面するか、または下方に面するか否かに依存して、デバイスのユーザにほぼ向かうか、または離れ得る。ステップ１１３５で個人のヘアは、次いで、図２−４Ａに見られる画像と同様に、デバイス中に置かれ得る。ステップ１１４５で、この方法１１８５は、ヘアスタイリングデバイスをヘアに沿って動かすことを含む。例えば、図２−４Ａに見られる矢印２４２、３４３、４４３は、デバイスを加熱要素の間でヘアに結合した後、ヘアに沿ってデバイスが動かされ得る方向を示す。ステップ１１５５で、この方法１１８５は、ヘアが第２の開口部を通って進む前および後の一方で、ヘアを第１の加熱要素および第２の加熱要素と接触することを含む。例えば、図３に見られるように、ヘア３２０は、デバイス３００が矢印３４３によって示される方向に引っ張られるとき、第２の開口部３３０を通って進んだ後、加熱要素３０６と接触し、その一方、図２では、ヘア２２０は、デバイス２００が矢印２４３によって示される方向に引っ張られるとき、第２の開口部２３０を通って進む前に加熱要素２０６と接触する。ステップ１１６５で、この方法１１８５は、ヘアを真っ直ぐにすること、およびカールすることの１つを含む。この方法１１８５は、１１７５で終了する。１つの実施形態では、図２に示されるように、ヘアが第２の開口部を通って進む前にヘアを第１の加熱要素および第２の加熱要素と接触することは、デバイスがヘアを真っ直ぐにすることを可能にする。
【００２１】
１つの方法１１８５はさらに、さらなるステップを含み得る。１つのそのようなステップは、ヘアをスタイリングデバイス中に置く前に、第１の加熱要素および第２の加熱要素を旋回して分離することを含み得る。例えば、第１のブレードセクション１０２は、旋回デバイス１１７の周りで第１の方向１６０に回転可能にスライドし得、その一方、第２のブレードセクション１０４は、旋回デバイス１１７の周りで第２の方向１７０に回転可能にスライドし得る。１つのデバイス１１０はまた、第１の方向１６０および第２の方向１７０の１つのみに回転し得る。
【００２２】
別の方法１１８５では、第１の開口部３１０をほぼ垂直位置に位置決めすることは、図３に見られるように、第１の開口部１１０を、ほぼ上方へ垂直位置に位置決めすることを含み得る。さらに、第２の開口部３３０をほぼ水平位置に位置決めすることは、図３にまた見られるように、第２の開口部３３０を個人の頭部に向かって位置決めすることを含み得る。このような構成で生成されたカールは、患者の頭部に向かって開くカールを含み得る。このような方法の複数の適用を通じ、各々のカールが患者の頭部に向かって開く、複数のカールがヘア３２０中に生成され得る。
【００２３】
図１に見られるように、第１の開口部１１０および第２の開口部１３０は、角度１６１によって分離され、そしてこの第２の開口部は、図８Ｄに見られるように、長さ８５３および幅８６３を有するデバイスフィンに近接する開口部を含み得ることがさらに企図される。このフィン８４０はまた、１つ以上の形状を備え得る。例えば、図８Ｄでは、フィン８４０は、点８７１で合流する実質的に平らな内側表面８６７およびほぼ丸まった外側表面８６２を備える。しかし、これら特徴の各々は、異なる形状または寸法を含み得る。とにかく、１つ以上のフィン寸法および角度１６１の少なくとも１つが、カールの寸法、サイズ、形状、および任意の他のカールの特徴に影響し得ることが企図される。同様に、図４Ａに見られるように、第１の開口部１１０をほぼ下方の垂直位置に位置決めすること、および第２の開口部１３０を個人の頭部からほぼ離れて位置決めすることは、患者の頭部から離れて開くヘア中のカールを生成することを含み得る。
【００２４】
ここで図１０を参照して、見られるのは、第１の内側ブレード表面部分１０８３、第２の内側ブレード表面部分１０８２、および第３の内側ブレード表面部分１０８１を有する内側ブレード表面１０６７を備えたヘアスタイリングデバイス１０００である。第１の内側ブレード表面部分１０８３、第２の内側ブレード表面部分１０８２、および第３の内側ブレード表面部分１０８１は、図９に見られるような、第１の内側ブレード表面部分９８３、第２の内側ブレード表面部分９８２、および第３の内側ブレード表面部分９８１にそれぞれ対応する。図１０に見られるように、第１の内側ブレード表面部分１０８３におけるフィン１０４０の長さ１０５３はゼロ長さを含み、第２の内側ブレード表面部分１０８２におけるフィン長さ１０５３は、変動する長さを含み、そして第３の内側ブレード表面部分１０８１におけるフィン長さ１０５３は実質的に安定な長さ１０５３を含む。さらに、内側ブレード表面１０１９の第１の部分１０８３は、ほぼ旋回デバイスから開始する実質的に平らな表面を含むことが企図される。第２の部分１０８２中の内側ブレード表面１０１９は、実質的に平らな部分１０９１および少なくとも１つの実質的に丸まった部分１０９３を含み、図１０の第２の部分１０８２は２つの丸まった部分１０９３を有する。第３の部分１０８１における内側ブレード表面１０１９は、内側フィンベース１０３７から外側ブレード表面１０７７まで延びる実質的に平らな部分を含む。図９にまた見られるのは、例えば、壁電力コンセントから電気を受けるように適合された電力コード９９９である。この電力コード９９９は、図５に見られるような、加熱要素５０６に電気的に連結される。デバイス５００は、加熱要素を所望の温度に加熱するために電気を用いるように適合され得る。電力コード３９９はまた図３に示される。
【００２５】
図１および本出願全体に見られるデバイス１００はまた、本明細書ではヘアを真っ直ぐにする／カールするデバイス１００としても言及される。１つのヘアを真っ直ぐにする／カールするデバイス１００は、ケーシングを備え得る。１つのケーシングは、外側ブレード表面１０７７を備えても良く、そして把持デバイスを備え得る。例えば、ケーシングは、図３−５および１２に示されるように、個人の手を受けるように適合され得る。さらに、第１のブレードセクション１０２および第２のブレードセクション１０４の各々は、外側ブレード表面１０７７を備え得る。さらに、この真っ直ぐにする／カールするデバイス１００はまた、ケーシングに連結されるか、統合されるかの一方である実質的に対向する加熱要素１０６の少なくとも１つの対を備え得る。１つのみの１つの加熱要素５０６が図５に示されているけれども、例えば、このような加熱要素５０６は、複数の加熱要素５０６を含み得る。このヘアを真っ直ぐにする／カールするデバイス１００はまた、少なくとも１つのフィン１４０を備え、このフィンは、ケーシングに連結され、そして／または統合される。これらデバイスおよび本明細書に記載されるのはすべて単一のフィン１４０を示してはいるが、複数のフィン１４０がまた企図される。
【００２６】
上記少なくとも１つの対の実質的に対向する加熱要素１０６は、限定されないで、図５に見られる加熱要素表面５７８のような実質的に対向する加熱要素を備え得る。さらに、上記少なくとも１つのフィン５４０は、第１の長さ方向５８２を有する第１の長さを含み得、この第１の長さ方向は、実質的に対向する加熱要素表面５７８の少なくとも１つに実質的に垂直である。この第１の長さ方向は、第１の方向にある実質的に対向する加熱要素表面の第１と実質的に垂直であり、そしてこの第１の長さ方向は、第２の方向にある実質的に対向する加熱要素表面の第２と実質的に垂直であり、ここで、この第２の方向は第１の方向とは実質的に対向している。上記ヘアを真っ直ぐにする／カールするデバイスは、ヘアを真っ直ぐにする第１の方法における使用に適合され、このヘアを真っ直ぐにする／カールするデバイスは、第１の方向にヘアをカールする第２の方法における使用に適合され、そしてこのヘアを真っ直ぐにする／カールするデバイスは、第２の方向にヘアをカールする第３の方法における使用に適合されている。
【００２７】
当業者は、多くの変形物および置換物が本発明において作製され得、その使用およびその構成が、本明細書に記載される実施形態によって達成されるのと実質的に同じ結果を達成することを容易に認識する。従って、本発明を開示される例示の形態に制限する意図はない。多くの変形物、改変物および代替の構成が、特許請求の範囲に表現されるように、開示される発明の範囲および思想内に入る。
【図１】
2016515874.tif 000003
【図２】
2016515874.tif 000004
【図３】
2016515874.tif 000005
【図４Ａ】
2016515874.tif 000006
【図４Ｂ】
2016515874.tif 000007
【図５】
2016515874.tif 000008
【図６】
2016515874.tif 000009
【図７Ａ】
2016515874.tif 000010
【図７Ｂ】
2016515874.tif 000011
【図７Ｃ】
2016515874.tif 000012
【図７Ｄ】
2016515874.tif 000013
【図８Ａ】
2016515874.tif 000014
【図８Ｂ】
2016515874.tif 000015
【図８Ｃ】
2016515874.tif 000016
【図８Ｄ】
2016515874.tif 000017
【図９】
2016515874.tif 000018
【図１０】
2016515874.tif 000019
【図１１】
2016515874.tif 000020
【図１２】
2016515874.tif 000021
【国際調査報告】
2016515874.tif 000022